(57)【要約】【課題】脂質のチャージリモートフラグメンテーションによる構造解析を容易に行うことができる質量分析装置を提供する。【解決手段】質量分析装置１００は、イオン化部１０と、第１質量分離部２０と、開裂部３０と、第２質量分離部４０と、検出部５０と、データベースを検索して、検出部５０の検出結果から得られる脂肪酸のチャージリモートフラグメンテーションのピークパターンを含むプロダクトイオンスペクトルから脂肪酸を同定する同定部６４と、を含み、データベースには、脂肪酸のチャージリモートフラグメンテーションによる各フラグメントイオンの質量電荷比とプリカーサーイオンの質量電荷比との差の情報、および各フラグメントイオンの強度の情報を含む脂肪酸のピークリストが登録されている。【選択図】図１
2015076169.tif 000002
【特許請求の範囲】
【請求項１】
脂肪酸を含む試料をイオン化するイオン化部と、
前記イオン化部で生成されたイオンを質量に応じて分離してプリカーサーイオンを選択する第１質量分離部と、
前記第１質量分離部で選択されたプリカーサーイオンを開裂させてフラグメントイオンを生成する開裂部と、
前記開裂部で生成されたフラグメントイオンを質量に応じて分離する第２質量分離部と、
前記第２質量分離部で分離されたフラグメントイオンを検出する検出部と、
データベースを検索して、前記検出部の検出結果から得られる脂肪酸のチャージリモートフラグメンテーションのピークパターンを含むプロダクトイオンスペクトルから脂肪酸を同定する同定部と、
を含み、
前記データベースには、脂肪酸のチャージリモートフラグメンテーションによる各フラグメントイオンの質量電荷比とプリカーサーイオンの質量電荷比との差の情報、および各フラグメントイオンの強度の情報を含む脂肪酸のピークリストが登録されている、質量分析装置。
【請求項２】
請求項１において、
前記同定部は、脂肪酸の所与の位置で開裂して生成されたフラグメントイオンの質量電荷比とプリカーサーイオンの質量電荷比との差をインデックスとして、前記データベースの検索を行う、質量分析装置。
【請求項３】
請求項１または２において、
前記同定部は、脂肪酸が同定された場合に、前記プロダクトイオンスペクトルのフラグメントイオンの強度から、同定された脂肪酸の前記ピークリストの各フラグメントイオンの強度を差し引く、質量分析装置。
【請求項４】
請求項１ないし３のいずれか１項において、
前記ピークリストにおいて、各フラグメントイオンの強度は、脂肪酸の所与の位置で開裂して生成されたフラグメントイオンの強度に対する各フラグメントイオンの強度の比である、質量分析装置。
【請求項５】
脂肪酸のチャージリモートフラグメンテーションのピークパターンを含むプロダクトイオンスペクトルから、脂肪酸を同定する脂肪酸の同定方法であって、
データベースを検索して、前記プロダクトイオンスペクトルから脂肪酸を同定する工程を含み、
前記データベースには、脂肪酸のチャージリモートフラグメンテーションによる各フラグメントイオンの質量電荷比とプリカーサーイオンの質量電荷比との差の情報、および各フラグメントイオンの強度の情報を含む脂肪酸のピークリストが登録されている、同定方法。
【請求項６】
請求項５において、
脂肪酸の所与の位置で開裂して生成されたフラグメントイオンの質量電荷比とプリカーサーイオンの質量電荷比との差をインデックスとして、前記データベースの検索を行う、同定方法。
【請求項７】
請求項５または６において、
脂肪酸が同定された場合に、前記プロダクトイオンスペクトルのフラグメントイオンの
強度から、同定された脂肪酸の前記ピークリストの各フラグメントイオンの強度を差し引く、同定方法。
【請求項８】
請求項５ないし７のいずれか１項において、
前記ピークリストにおいて、各フラグメントイオンの強度は、脂肪酸の所与の位置で開裂して生成されたフラグメントイオンの強度に対する各フラグメントイオンの強度の比である、同定方法。
【請求項９】
脂肪酸のチャージリモートフラグメンテーションのピークパターンを含むプロダクトイオンスペクトルから、脂肪酸を同定するプログラムであって、
データベースを検索して、前記プロダクトイオンスペクトルから脂肪酸を同定する同定部としてコンピューターを機能させ、
前記データベースには、脂肪酸のチャージリモートフラグメンテーションによる各フラグメントイオンの質量電荷比とプリカーサーイオンの質量電荷比との差の情報、および各フラグメントイオンの強度の情報を含む脂肪酸のピークリストが登録されている、プログラム。
【請求項１０】
請求項９において、
前記同定部は、脂肪酸の所与の位置で開裂して生成されたフラグメントイオンの質量電荷比とプリカーサーイオンの質量電荷比との差をインデックスとして、前記データベースの検索を行う、プログラム。
【請求項１１】
請求項９または１０において、
前記同定部は、脂肪酸が同定された場合に、前記プロダクトイオンスペクトルのフラグメントイオンの強度から、同定された脂肪酸の前記ピークリストの各フラグメントイオンの強度を差し引く、プログラム。
【請求項１２】
請求項９ないし１１のいずれか１項において、
前記ピークリストにおいて、各フラグメントイオンの強度は、脂肪酸の所与の位置で開裂して生成されたフラグメントイオンの強度に対する各フラグメントイオンの強度の比である、プログラム。
【発明の詳細な説明】
【技術分野】
【０００１】
本発明は、質量分析装置、同定方法、およびプログラムに関する。
【背景技術】
【０００２】
タンデム質量分析法とは、一般的に、２台の質量分析計で行う質量分析法を意味する。具体的には、イオン源で何らかの方法でイオン化させたイオンを１台目の質量分析計で質量分離し、特定の質量電荷比ｍ／ｚを持つイオンのみを選択する。選択したイオンを希ガスと衝突させる、光に反応させるなどして断片化させ、２台目の質量分析計で質量分離し、スペクトルを測定する方法である。
【０００３】
上記は２台の質量分析計を組み合わせて行う方法であるが、この他にも、１台の質量分析計でイオンをトラップしてタンデム質量分析法を行うことができる、イオントラップ型質量分析計や、フーリエ変換イオンサイクロトロン共鳴型質量分析計等が存在する。
【０００４】
脂質は、その種に応じた構造に脂肪酸が最低１つ結合しており、その脂肪酸の組成や構造により性質が異なる。脂質の構造解析は、例えば特許文献１に示すように、一般的に、タンデム質量分析法により行われている。なかでも、磁場型質量分析計を代表とした、実験室系で運動エネルギーが数ｋｅＶ以上のイオンを不活性ガスと衝突させる高エネルギー衝突誘起解離（ＨＥ−ＣＩＤ）が可能な装置では、チャージリモートフラグメンテーションにより脂肪酸の構造を反映したスペクトルが観測されることから、脂質の構造解析に用いられる。
【０００５】
ここで、チャージリモートフラグメンテーションとは、イオンの結合の開裂が見かけ上電荷の位置から遠く離れた場所で起こる現象を指す。脂肪酸や一部の脂質においては、末端に金属イオンを付加させる等して、電荷を固定させた上でタンデム質量分析法を行うことで、チャージリモートフラグメンテーションによるフラグメントイオンが観測できる。末端からそれぞれの結合が開裂したフラグメントイオンが観測されるために、スペクトルから直接構造解析を行うことが可能となる。
【０００６】
図１２は、脂肪酸の炭素鎖のなかに１つの不飽和結合がある場合のイメージ図である。図１２に示すように、不飽和結合に相当する部分のピーク強度が弱くなるなどの特徴が観測されるため、構造解析が可能となる。
【先行技術文献】
【特許文献】
【０００７】
【特許文献１】特開２００６−２２６７３０号公報
【発明の概要】
【発明が解決しようとする課題】
【０００８】
しかし、リン脂質やトリアシルグリセロール等の２つ以上の脂肪酸が結合している脂質では、チャージリモートフラグメンテーションが観測される領域に複数の脂肪酸それぞれの構造を反映したピークパターンが観測されるため、スペクトルの解析は非常に複雑なものとなる。
【０００９】
さらに、試料によっては脂肪酸部分の組成は同じであるが、脂肪酸の組み合わせが異なる構造異性体が存在する場合もあり、脂肪酸が２つ結合している脂質でもピークパターンとしては、３種類以上の脂肪酸のパターンが観測される可能性も考えられる。例えば、グ
リセリンに脂肪酸が２つ結合した場合であるが、２つの脂肪酸の炭素鎖総数３６・不飽和結合総数２といっても、含まれる脂肪酸の種類によっては、図１３に示すように３つの構造異性体を含んでいるケースも想定される。
【００１０】
本発明は、以上のような問題点に鑑みてなされたものであり、本発明のいくつかの態様に係る目的の１つは、脂質のチャージリモートフラグメンテーションによる構造解析を容易に行うことができる質量分析装置、同定方法、およびプログラムを提供することにある。
【課題を解決するための手段】
【００１１】
（１）本発明に係る質量分析装置は、
脂肪酸を含む試料をイオン化するイオン化部と、
前記イオン化部で生成されたイオンを質量に応じて分離してプリカーサーイオンを選択する第１質量分離部と、
前記第１質量分離部で選択されたプリカーサーイオンを開裂させてフラグメントイオンを生成する開裂部と、
前記開裂部で生成されたフラグメントイオンを質量に応じて分離する第２質量分離部と、
前記第２質量分離部で分離されたフラグメントイオンを検出する検出部と、
データベースを検索して、前記検出部の検出結果から得られる脂肪酸のチャージリモートフラグメンテーションのピークパターンを含むプロダクトイオンスペクトルから脂肪酸を同定する同定部と、
を含み、
前記データベースには、脂肪酸のチャージリモートフラグメンテーションによる各フラグメントイオンの質量電荷比とプリカーサーイオンの質量電荷比との差の情報、および各フラグメントイオンの強度の情報を含む脂肪酸のピークリストが登録されている。
【００１２】
このような質量分析装置では、脂質のチャージリモートフラグメンテーションによる構造解析を容易に行うことができる。具体的には、このような質量分析装置では、例えば、脂肪酸が複数結合した脂質や、構造異性体を含む脂質の構造解析を容易に行うことができる。
【００１３】
（２）本発明に係る質量分析装置において、
前記同定部は、脂肪酸の所与の位置で開裂して生成されたフラグメントイオンの質量電荷比とプリカーサーイオンの質量電荷比との差をインデックスとして、前記データベースの検索を行ってもよい。
【００１４】
このような質量分析装置では、データベース検索の高速化を図ることができる。
【００１５】
（３）本発明に係る質量分析装置において、
前記同定部は、脂肪酸が同定された場合に、前記プロダクトイオンスペクトルのフラグメントイオンの強度から、同定された脂肪酸の前記ピークリストの各フラグメントイオンの強度を差し引いてもよい。
【００１６】
このような質量分析装置では、データベース検索の精度を高めることができる。
【００１７】
（４）本発明に係る質量分析装置において、
前記ピークリストにおいて、各フラグメントイオンの強度は、脂肪酸の所与の位置で開裂して生成されたフラグメントイオンの強度に対する各フラグメントイオンの強度の比であってもよい。
【００１８】
このような質量分析装置では、試料のプロダクトイオンスペクトルと、脂肪酸のピークリストとの照合を容易に行うことができる。
【００１９】
（５）本発明に係る同定方法は、
脂肪酸のチャージリモートフラグメンテーションのピークパターンを含むプロダクトイオンスペクトルから、脂肪酸を同定する脂肪酸の同定方法であって、
データベースを検索して、前記プロダクトイオンスペクトルから脂肪酸を同定する工程を含み、
前記データベースには、脂肪酸のチャージリモートフラグメンテーションによる各フラグメントイオンの質量電荷比とプリカーサーイオンの質量電荷比との差の情報、および各フラグメントイオンの強度の情報を含む脂肪酸のピークリストが登録されている。
【００２０】
このような同定方法では、脂質のチャージリモートフラグメンテーションによる構造解析を容易に行うことができる。具体的には、このような同定方法では、例えば、脂肪酸が複数結合した脂質や、構造異性体を含む脂質の構造解析を容易に行うことができる。
【００２１】
（６）本発明に係る同定方法において、
脂肪酸の所与の位置で開裂して生成されたフラグメントイオンの質量電荷比とプリカーサーイオンの質量電荷比との差をインデックスとして、前記データベースの検索を行ってもよい。
【００２２】
（７）本発明に係る同定方法において、
脂肪酸が同定された場合に、前記プロダクトイオンスペクトルのフラグメントイオンの強度から、同定された脂肪酸の前記ピークリストの各フラグメントイオンの強度を差し引いてもよい。
【００２３】
（８）本発明に係る同定方法において、
前記ピークリストにおいて、各フラグメントイオンの強度は、脂肪酸の所与の位置で開裂して生成されたフラグメントイオンの強度に対する各フラグメントイオンの強度の比であってもよい。
【００２４】
（９）本発明に係るプログラムは、
脂肪酸のチャージリモートフラグメンテーションのピークパターンを含むプロダクトイオンスペクトルから、脂肪酸を同定するプログラムであって、
データベースを検索して、前記プロダクトイオンスペクトルから脂肪酸を同定する同定部としてコンピューターを機能させ、
前記データベースには、脂肪酸のチャージリモートフラグメンテーションによる各フラグメントイオンの質量電荷比とプリカーサーイオンの質量電荷比との差の情報、および各フラグメントイオンの強度の情報を含む脂肪酸のピークリストが登録されている。
【００２５】
このようなプログラムでは、脂質のチャージリモートフラグメンテーションによる構造解析を容易に行うことができる。具体的には、このようなプログラムでは、例えば、脂肪酸が複数結合した脂質や、構造異性体を含む脂質の構造解析を容易に行うことができる。
【００２６】
（１０）本発明に係るプログラムにおいて、
前記同定部は、脂肪酸の所与の位置で開裂して生成されたフラグメントイオンの質量電荷比とプリカーサーイオンの質量電荷比との差をインデックスとして、前記データベースの検索を行ってもよい。
【００２７】
（１１）本発明に係るプログラムにおいて、
前記同定部は、脂肪酸が同定された場合に、前記プロダクトイオンスペクトルのフラグメントイオンの強度から、同定された脂肪酸の前記ピークリストの各フラグメントイオンの強度を差し引いてもよい。
【００２８】
（１２）本発明に係るプログラムにおいて、
前記ピークリストにおいて、各フラグメントイオンの強度は、脂肪酸の所与の位置で開裂して生成されたフラグメントイオンの強度に対する各フラグメントイオンの強度の比であってもよい。
【図面の簡単な説明】
【００２９】
【図１】本実施形態に係る質量分析装置の構成を示す図。
【図２】脂肪酸（１６，０）のみが結合している脂質のチャージリモートフラグメンテーションのピークパターンを模式的に示す図。
【図３】脂肪酸（１６，１）のみが結合している脂質のチャージリモートフラグメンテーションのピークパターンを模式的に示す図。
【図４】脂肪酸のピークリストの一例を示す表。
【図５】本実施形態に係る同定方法の一例を示すフローチャート。
【図６】スペクトル取得部で生成された試料のプロダクトイオンスペクトルの一例を模式的に示す図。
【図７】本実施形態に係る質量分析装置の同定部の処理を説明するためのフローチャート。
【図８】横軸をプリカーサーイオンの質量電荷比ｍ／ｚとの差Δｍ／ｚとした試料のプロダクトイオンスペクトルの一例を模式的に示す図。
【図９】試料のプロダクトイオンスペクトルから作成された試料のピークリストの一例を示す表。
【図１０】新たに作成された脂肪酸（１６，０）のピークリストの一例を示す表。
【図１１】同定部で新たに作成された試料のピークリストの一例を示す表。
【図１２】脂肪酸の炭素鎖のなかに１つの不飽和結合がある場合のイメージ図。
【図１３】炭素鎖総数３６・不飽和結合総数２の脂肪酸の構造異性体を示す図。
【発明を実施するための形態】
【００３０】
以下、本発明の好適な実施形態について図面を用いて詳細に説明する。なお、以下に説明する実施形態は、特許請求の範囲に記載された本発明の内容を不当に限定するものではない。また、以下で説明される構成の全てが本発明の必須構成要件であるとは限らない。
【００３１】
１．  質量分析装置
まず、本実施形態に係る質量分析装置の構成について、図面を参照しながら説明する。図１は、本実施形態に係る質量分析装置１００の構成を示す図である。
【００３２】
質量分析装置１００は、図１に示すように、イオン化部１０と、第１質量分離部２０と、開裂部３０と、第２質量分離部４０と、検出部５０と、処理部６０と、操作部７０と、表示部７２と、記憶部７４と、情報記憶媒体７６と、を含んで構成されている。
【００３３】
質量分析装置１００は、タンデム質量分析法を用いて、試料の測定を行う装置である。質量分析装置１００は、２つの質量分離部２０，４０の間に開裂部３０を設けたタンデム型（ＭＳ／ＭＳ）質量分析装置である。
【００３４】
具体的には、質量分析装置１００では、イオン化部１０で試料をイオン化し、第１質量分離部２０で特定の質量数のイオン（プリカーサーイオン）を取り出して開裂部３０に導
き、第１質量分離部２０で選択したプリカーサーイオンから生じた２次的なフラグメントイオン（プロダクトイオン）を第２質量分離部４０で質量に応じて分離して検出部５０で検出する。
【００３５】
質量分析装置１００の分析対象となる試料は、例えば、脂肪酸を含む試料であり、例えば、脂質である。脂質は、その種に応じた構造に脂肪酸が最低１つ結合しており、その脂肪酸の組成や構造により性質が異なる。
【００３６】
試料となる脂肪酸や脂質には、例えば、末端に金属イオンを付加させる等して電荷を固定させる。これにより、質量分析装置１００においてタンデム質量分析法で測定することで、脂肪酸のチャージリモートフラグメンテーションによるフラグメントイオンを観測することができる。先に説明したように、チャージリモートフラグメンテーションとは、イオンの結合の開裂が見かけ上電荷の位置から遠く離れた場所で起こる現象を指す。
【００３７】
例えば、脂肪酸のチャージリモートフラグメンテーションによるフラグメントイオンを観測する場合には、カルボキシル基にアルカリ金属を付加し、電荷を局在化させる。この場合、アルキル鎖の末端からアルカンに相当する質量が脱離したフラグメントイオンが連続的に検出される。
【００３８】
イオン化部１０は、分析対象となる試料をイオン化する。イオン化部１０は、脂肪酸を含む試料（脂質）をイオン化する。イオン化部１０は、例えば、エレクトロスプレーイオン化法（Ｅｌｅｃｔｒｏｓｐｒａｙ  Ｉｏｎｉｚａｔｉｏｎ，ＥＳＩ）、マトリックス支援レーザー脱離イオン化法（Ｍａｔｒｉｘ  Ａｓｓｉｓｔｅｄ  Ｌａｓｅｒ  Ｄｅｓｏｒｐｔｉｏｎ／Ｉｏｎｉｚａｔｉｏｎ，ＭＡＬＤＩ）等により試料をイオン化する。なお、イオン化部１０で用いるイオン化法は、特に限定されない。
【００３９】
第１質量分離部２０は、イオン化部１０で生成されたイオンを質量に応じて分離してプリカーサーイオンを選択する。プリカーサーイオンは、開裂部３０に送られる。
【００４０】
第１質量分離部２０としては、例えば、飛行時間型（Ｔｉｍｅ−ｏｆ−Ｆｌｉｇｈｔ，ＴＯＦ）を用いることができる。なお、第１質量分離部２０として、例えば、四重極型（Ｑｕａｄｒｕｐｏｌｅ，Ｑ）、イオントラップ型（Ｉｏｎ  Ｔｒａｐ，ＩＴ）、磁場偏向型（Ｍａｇｎｅｔｉｃ  Ｓｅｃｔｏｒ）等の質量分析計を用いてもよい。
【００４１】
開裂部３０は、第１質量分離部２０で選択されたプリカーサーイオンを開裂させる。これにより、フラグメントイオン（プロダクトイオン）が生成される。
【００４２】
開裂部３０におけるプリカーサーイオンの開裂方法としては、例えば、ガスとの衝突による衝突誘起解離（ｃｏｌｌｉｓｉｏｎ  ｉｎｄｕｃｅｄ  ｄｉｓｓｏｃｉａｔｉｏｎ，ＣＩＤ）を用いる。特に、開裂部３０におけるプリカーサーイオンの開裂方法として、高エネルギー衝突誘起解離（ＨＥ−ＣＩＤ）を用いることが望ましい。高エネルギー衝突誘起解離とは、実験室系で運動エネルギーが数ｋｅＶ以上（例えば１ｋｅＶ以上）のイオンを不活性ガスと衝突させることで行われる衝突誘起解離をいう。質量分析装置１００では、高エネルギー衝突誘起解離を用いることにより、プロダクトイオンスペクトルからチャージリモートフラグメンテーション由来のピークパターンを観測することができる。
【００４３】
第２質量分離部４０は、開裂部３０で開裂されたフラグメントイオンを質量に応じて分離する。第２質量分離部４０としては、例えば、飛行時間型（Ｔｉｍｅ−ｏｆ−Ｆｌｉｇｈｔ，ＴＯＦ）の質量分析計を用いることができる。第２質量分離部４０として、リフレクトロン型の飛行時間型質量分析計を用いることが好ましい。なお、第２質量分離部４０
として、例えば、四重極型（Ｑｕａｄｒｕｐｏｌｅ，Ｑ）、イオントラップ型（Ｉｏｎ  Ｔｒａｐ，ＩＴ）、磁場偏向型（Ｍａｇｎｅｔｉｃ  Ｓｅｃｔｏｒ）等の質量分析計を用いてもよい。
【００４４】
第１質量分離部２０と第２質量分離部４０の組み合わせとしては、例えば、第１質量分離部２０および第２質量分離部４０がともに飛行時間型質量分析計である場合が好ましい。すなわち、質量分析装置１００は、タンデム型飛行時間型質量分析計であることが好ましい。
【００４５】
検出部５０は、第２質量分離部４０で質量に応じて分離されたフラグメントイオンを検出する。検出部５０は、例えば、イオンを電子増倍管やマイクロチャネルプレート等で増感して検出する。検出部５０が出力する検出信号は、処理部６０に入力される。
【００４６】
ＰＣ（パーソナルコンピューター）２は、処理部６０、操作部７０、表示部７２、記憶部７４、および情報記憶媒体７６を含んで構成されている。
【００４７】
操作部７０は、ユーザーによる操作に応じた操作信号を取得し、処理部６０に送る処理を行う。操作部７０は、例えば、ボタン、キー、タッチパネル型ディスプレイ、マイクなどである。
【００４８】
表示部７２は、処理部６０によって生成された画像を表示するものであり、その機能は、ＬＣＤ、ＣＲＴなどにより実現できる。表示部７２は、例えば、処理部６０で生成されたプロダクトイオンスペクトルや、脂肪酸の同定結果を表示する。
【００４９】
記憶部７４は、処理部６０のワーク領域となるもので、その機能はＲＡＭなどにより実現できる。記憶部７４は、処理部６０が各種の計算処理や制御処理を行うためのプログラムやデータ等を記憶している。また、記憶部７４は、処理部６０の作業領域として用いられ、処理部６０が各種プログラムに従って実行した算出結果等を一時的に記憶するためにも使用される。
【００５０】
記憶部７４には、データベースが記憶されている。データベースには、脂肪酸のチャージリモートフラグメンテーションによる各フラグメントイオンの質量電荷比とプリカーサーイオンの質量電荷比との差の情報、および各フラグメントイオンの強度の情報を含む脂肪酸のピークリストが登録されている。以下、この脂肪酸のピークリストについて説明する。
【００５１】
図２は、炭素鎖数１６・不飽和結合数０の脂肪酸（以下「脂肪酸（１６，０）」ともいう）のみが結合している脂質のチャージリモートフラグメンテーションのピークパターンを模式的に示す図である。図３は、炭素鎖数１６・不飽和結合数１の脂肪酸（以下「脂肪酸（１６，１）」ともいう）のみが結合している脂質のチャージリモートフラグメンテーションのピークパターンを模式的に示す図である。
【００５２】
図２および図３に示すピークパターン（スペクトル）は、上記の脂肪酸をタンデム質量分析法により測定して得られたものである。より具体的には、測定して得られた上記の脂肪酸のプロダクトイオンスペクトル（横軸が質量電荷比ｍ／ｚ、縦軸が強度）の横軸を、プリカーサーイオンの質量電荷比ｍ／ｚとの差Δｍ／ｚに変換したものである。
Δｍ／ｚ値は、各フラグメントイオンの質量電荷比ｍ／ｚからプリカーサーイオンの質量電荷比ｍ／ｚを差し引くことで求められる。したがって、図２および図３に示すスペクトルでは、プリカーサーイオンのΔｍ／ｚ値は、０である。また、各フラグメントイオンのΔｍ／ｚ値は、負の値をとる。図２および図３に示すスペクトルの縦軸は、イオンの相
対強度である。
【００５３】
図４は、脂肪酸のピークリストの一例を示す表である。図４に示す表では、図２に示す脂肪酸（１６，０）のピークリスト、および脂肪酸（１６，１）のピークリストを示している。
【００５４】
脂肪酸のピークリストは、図４に示すように、脂肪酸のチャージリモートフラグメンテーションによる各フラグメントイオンの質量電荷比ｍ／ｚとプリカーサーイオンの質量電荷比ｍ／ｚとの差（Δｍ／ｚ値、Δｍ値）の情報と、各フラグメントイオンの強度（Ｒｅｌａｔｉｖｅ  Ｉｎｔｅｎｓｉｔｙ）の情報と、を含む。図４に示すように、脂肪酸のピークリストでは、各フラグメントイオンごとに、Δｍ／ｚ値、および強度が登録されている。Δｍ／ｚ値の情報、および強度の情報は、図２および図３に示すスペクトルのピークを検出することにより得ることができる。
【００５５】
脂肪酸のピークリストにおいて、各フラグメントイオンの強度は、相対強度である。脂肪酸のピークリストでは、各フラグメントイオンの強度を、脂肪酸の所与の位置で開裂して生成されたフラグメントイオンの強度に対する各フラグメントイオンの強度の比で表わしている。以下、この強度の基準となる脂肪酸の所与の位置で開裂して生成されたフラグメントイオンを、基準フラグメントイオンともいう。
【００５６】
図４に示す脂肪酸のピークリストでは、脂肪酸の所与の位置を脂肪酸のΔ３位の位置（脂肪酸末端から３番目の位置）としている。すなわち、基準フラグメントイオンを、脂肪酸のΔ３位で開裂して生成されたフラグメントイオンに設定している。この脂肪酸のΔ３位で開裂して生成されたフラグメントイオンの強度は、図２および図３に示すピークパターンからわかるように、他のフラグメントイオンと比べて、強度が大きい。このように、基準フラグメントイオンとしては、プロダクトイオンスペクトルにおいて、特徴的なピークを持つフラグメントイオンを選択することが望ましい。
【００５７】
脂肪酸（１６，０）のピークリストでは、基準フラグメントイオンは、Δｍ／ｚ  −１８４のフラグメントイオンである。そのため、脂肪酸（１６，０）のピークリストでは、各フラグメントイオンの強度を、Δｍ／ｚ  −１８４のフラグメントイオンの強度に対する、各フラグメントイオンの強度の比として示している。
【００５８】
脂肪酸（１６，１）のピークリストでは、基準フラグメントイオンは、Δｍ／ｚ  −１８２のフラグメントイオンである。そのため、脂肪酸（１６，１）のピークリストでは、各フラグメントイオンの強度を、Δｍ／ｚ  −１８２のフラグメントイオンの強度に対する、各フラグメントイオンの強度の比として示している。
【００５９】
脂肪酸のピークリストでは、脂肪酸の所与の位置で開裂して生成されたフラグメントイオンの質量電荷比とプリカーサーイオンの質量電荷比との差Δｍ／ｚをインデックスＦとしている。図４に示す脂肪酸のピークリストでは、インデックスＦとして、基準フラグメントイオン（脂肪酸のΔ３位で開裂して生成されたフラグメントイオン）を用いている。脂肪酸（１６，０）のピークリストでは、インデックスＦはΔｍ／ｚ  −１８４のフラグメントイオンである。脂肪酸（１６，１）のピークリストでは、インデックスＦは、Δｍ／ｚ  −１８２のフラグメントイオンである。
【００６０】
脂肪酸のピークリストには、図４に示すように、さらに、不飽和結合の位置の情報を含む。
【００６１】
図４の脂肪酸のピークリストには、例えば、図２および図３に示すスペクトルから検出
されたピークがすべて登録されていてもよいし、基準フラグメントイオン（脂肪酸のΔ３位で開裂して生成されたフラグメントイオン）から、プリカーサーイオン（すなわちΔｍ／ｚ＝０）までの範囲のイオンが登録されていてもよい。
【００６２】
なお、ここでは、データベースには、脂肪酸（１６，０）のピークリスト、および脂肪酸（１６，１）のピークリストの２つが登録されている場合について説明したが、データベースに登録される脂肪酸のピークリストの数は特に限定されない。例えば、データベースには、試料から想定される各種脂肪酸のピークリストが登録されていてもよい。
【００６３】
情報記憶媒体７６（コンピューターにより読み取り可能な媒体）は、プログラムやデータなどを格納するものであり、その機能は、光ディスク（ＣＤ、ＤＶＤ）、光磁気ディスク（ＭＯ）、磁気ディスク、ハードディスク、磁気テープ、或いはメモリ（ＲＯＭ）などにより実現できる。処理部６０は、情報記憶媒体７６に格納されるプログラム（データ）に基づいて本実施形態の種々の処理を行う。情報記憶媒体７６には、処理部６０の各部としてコンピューターを機能させるためのプログラムを記憶することができる。なお、当該プログラムは、ホスト装置（サーバー）が有する情報記憶媒体からネットワーク等を介して情報記憶媒体７６（記憶部７４）に配信されてもよい。
【００６４】
処理部６０は、記憶部７４に記憶されているプログラムに従って、各種の計算処理を行う。処理部６０は、記憶部７４に記憶されているプログラムを実行することで、以下に説明する、スペクトル取得部６２、同定部６４として機能する。処理部６０の機能は、各種プロセッサ（ＣＰＵ、ＤＳＰ等）、ＡＳＩＣ（ゲートアレイ等）などのハードウェアや、プログラムにより実現できる。なお、処理部６０の少なくとも一部をハードウェア（専用回路）で実現してもよい。
【００６５】
スペクトル取得部６２は、検出部５０の検出結果から、プロダクトイオンスペクトルを生成し取得する。質量分析装置１００では、例えば、分析対象となる脂肪酸や脂質の末端に金属イオンを付加させる等して電荷を固定させた上で、タンデム質量分析法を行うため、脂肪酸のチャージリモートフラグメンテーションによるフラグメントイオンが観測される。そのため、スペクトル取得部６２では、脂肪酸のチャージリモートフラグメンテーションのピークパターンを含むプロダクトイオンスペクトルを取得することができる。
【００６６】
同定部６４は、記憶部７４に記録されているデータベースを検索して、スペクトル取得部６２が生成した脂肪酸のチャージリモートフラグメンテーションのピークパターンを含むプロダクトイオンスペクトルから脂肪酸を同定する。
【００６７】
また、同定部６４は、脂肪酸が同定された場合に、プロダクトイオンスペクトルのフラグメントイオンの強度から、同定された脂肪酸のピークリストの各フラグメントイオンの強度を差し引く。これにより、同定された脂肪酸に由来するフラグメントイオンがプロダクトイオンスペクトルから取り除かれる。そして、同定部６４は、同定された脂肪酸に由来するピークが取り除かれたプロダクトイオンスペクトルから脂肪酸を同定する処理を行う。同定部６４は、同定した結果を、表示部７２に表示させる処理を行ってもよい。
【００６８】
なお、同定部６４の処理の詳細については後述する。
【００６９】
２．  同定方法
次に、本実施形態に係る脂肪酸を含む試料の同定方法について図面を参照しながら説明する。図５は、本実施形態に係る同定方法の一例を示すフローチャートである。ここでは、本実施形態に係る同定方法を質量分析装置１００に適用した例について説明する。
【００７０】
まず、質量分析装置１００において、脂肪酸を含む試料（脂質）を、タンデム質量分析法を用いて測定し、脂肪酸のチャージリモートフラグメンテーションのピークパターンを含む試料のプロダクトイオンスペクトルを取得する（ステップＳ１０）。
【００７１】
具体的には、イオン化部１０で試料をイオン化し、第１質量分離部２０で特定の質量数のイオン（プリカーサーイオン）を取り出して開裂部３０に導き、第１質量分離部２０で選択したプリカーサーイオンから生じた２次的なフラグメントイオン（プロダクトイオン）を第２質量分離部４０で質量に応じて分離して検出部５０で検出する。
【００７２】
そして、スペクトル取得部６２は、検出部５０の検出結果に基づいて、脂肪酸のチャージリモートフラグメンテーションのピークパターンを含むプロダクトイオンスペクトルを生成する。これにより、プロダクトイオンスペクトルを取得することができる。
【００７３】
図６は、スペクトル取得部６２で生成された試料（脂質）のプロダクトイオンスペクトルの一例を模式的に示す図である。図６に示す試料のプロダクトイオンスペクトルでは、横軸は質量電荷比ｍ／ｚであり、縦軸はイオンの強度である。図６に示すプロダクトイオンスペクトルには、脂肪酸のチャージリモートフラグメンテーションのピークパターンが含まれている。
【００７４】
次に、同定部６４は、記憶部７４に記憶されている脂肪酸のデータベースを検索して、試料のプロダクトイオンスペクトルから脂肪酸を同定する同定処理を行う（ステップＳ１２）。ここでは、脂肪酸のデータベースには、図４に示す脂肪酸（１６，０）のピークリストおよび脂肪酸（１６，１）のピークリストが登録されているものとする。
【００７５】
図７は、本実施形態に係る質量分析装置１００の同定部６４の同定処理（ステップＳ１２）を説明するためのフローチャートである。
【００７６】
同定部６４は、まず、取得したプロダクトイオンスペクトルから試料のピークリストを作成する（ステップＳ１２１）。
【００７７】
具体的には、同定部６４は、取得したプロダクトイオンスペクトル（図６参照）の横軸（質量電化比ｍ／ｚ）をΔｍ／ｚに変換する。
【００７８】
図８は、図６に示す試料のプロダクトイオンスペクトルの横軸（質量電荷比ｍ／ｚ）をΔｍ／ｚ値に変換した試料のプロダクトイオンスペクトルの一例を模式的に示すスペクトルである。
【００７９】
次に、同定部６４は、図８に示すプロダクトイオンスペクトルにおいて、ピーク検出を行い、試料のピークリストを作成する。図９は、図８に示す試料のプロダクトイオンスペクトルから作成された試料のピークリストの一例を示す表である。
【００８０】
試料のピークリストは、図９に示すように、各フラグメントイオンのΔｍ／ｚ値の情報と、各フラグメントイオンの強度の情報と、を含む。
【００８１】
次に、同定部６４は、試料に含まれると想定される脂肪酸の組成から試料のピークリストの検索範囲を設定する（ステップＳ１２２）。
【００８２】
例えば、想定される脂肪酸で最も分子量が小さいものの組成を（Ｃｍｉｎ，Ｄｍｉｎ）とし、想定される脂肪酸でもっと分子量が大きいものの組成を（Ｃｍａｘ，Ｄｍａｘ）とすると、検索範囲は以下の式で表わされる。
【００８３】
−（Ｃｍａｘ−３）×１４＋Ｄｍａｘ×２−２＜Δｍ／ｚ＜−（Ｃｍｉｎ−３）×１４＋Ｄｍｉｎ×２−２
想定される脂肪酸の情報は、ユーザーによって入力されてもよいし、同定部６４が試料のプロダクトイオンスペクトルに基づいて決定してもよい。
【００８４】
次に、同定部６４は、試料のピークリスト（図９参照）から、設定された検索範囲で強度が最も強いフラグメントイオンを探す（ステップＳ１２３）。ここでは、同定部６４は、図９に示す試料のピークリストからフラグメントイオンΔｍ／ｚ  −１８４（強度１０００）を選択したものとして説明する。
【００８５】
なお、同定部６４は、検索範囲を設定せずに、試料のピークリストの全範囲から強度が最も強いフラグメントイオンを探してもよい。
【００８６】
次に、同定部６４は、ステップＳ１２３で選択したフラグメントイオンΔｍ／ｚ  −１８４に対して、脂肪酸のピークリスト（図４参照）のインデックスＦから該当するものを探す（ステップＳ１２４）。
【００８７】
すなわち、同定部６４は、脂肪酸の所与の位置で開裂して生成されたフラグメントイオン（基準フラグメントイオン）のΔｍ／ｚ値をインデックスとして、データベースの検索を行う。
【００８８】
同定部６４は、例えば、データベースに登録されている脂肪酸のピークリストのインデックスＦのなかから、統計的に最も有意なものを選び出す。
【００８９】
ここでは、同定部６４は、ステップＳ１２３で選択したフラグメントイオンΔｍ／ｚ  −１８４と、脂肪酸（１６，０）のピークリストのインデックスＦ（Δｍ／ｚ  −１８４）が一致するため、脂肪酸（１６，０）が該当するものとする。
【００９０】
次に、同定部６４は、該当する脂肪酸（１６，０）のピークリストと、試料のピークリストとを照合する（ステップＳ１２５）。
【００９１】
具体的には、同定部６４は、例えば、該当する脂肪酸（１６，０）のピークリストの強度（Ｒｅｌａｔｉｖｅ  Ｉｎｔｅｎｓｉｔｙ）に、ステップＳ１２３で選択されたフラグメントイオンΔｍ／ｚ  −１８４の強度１０００を掛けて（乗算して）、新たに脂肪酸（１６，０）のピークリストを作成し、試料のピークリストと照合する。図１０は、新たに作成された脂肪酸（１６，０）のピークリストの一例を示す表である。
【００９２】
そして、図９に示す試料のピークリストに、新たに作成された脂肪酸（１６，０）のピークリストのフラグメントイオンが一定以上存在する場合には、試料に脂肪酸（１６，０）が存在するものと判定する（ステップＳ１２６でＹＥＳ）。この一定の基準は、試料の濃度、積算回数等から設定される。
【００９３】
ここでは、同定部６４は、試料のピークリスト（図９参照）に脂肪酸（１６，０）のピークリスト（図１０参照）のフラグメントイオンが一定以上存在するため、試料に脂肪酸（１６，０）が存在すると判定する。
【００９４】
一方、同定部６４は、該当する脂肪酸のピークリストと試料のピークリストとを照合して、試料のピークリストに当該脂肪酸のピークリストのフラグメントイオンが一定以上存在しなかった場合（ステップＳ１２６でＮＯの場合）には、再び、試料のピークリストか
ら設定された検索範囲でフラグメントイオンを探す（ステップＳ１２３）。このとき、同定部６４は、例えば、先に選択されたフラグメントイオンの次に強度が強いフラグメントイオンを探す。そして、同定部６４は、ステップＳ１２４、ステップＳ１２５、ステップＳ１２６の処理を行う。
【００９５】
このようにして、同定部６４において同定処理が行われる。
【００９６】
次に、同定部６４は、脂肪酸が同定された場合（ステップＳ１２６でＹＥＳの場合）に、試料のプロダクトイオンスペクトルのフラグメントイオンの強度から、同定された脂肪酸のピークリストの各フラグメントイオンの強度を差し引く（ステップＳ１４）。これにより、同定部６４は、試料のピークリストを新たに作成する。
【００９７】
具体的には、同定部６４は、試料のピークリスト（図９参照）の各フラグメントイオンの強度から、ステップＳ１２５において新たに作成された脂肪酸（１６，０）のピークリスト（図１０参照）の各フラグメントイオンの強度を差し引く。これにより、試料のピークリストが新たに作成される。
【００９８】
図１１は、同定部６４で新たに作成された試料のピークリストの一例を示す表である。
【００９９】
次に、同定部６４は、試料のすべての脂肪酸が同定されたか否かを判定する（ステップＳ１６）。同定部６４は、例えば、図１１に示す試料のピークリストの検索範囲内にフラグメントイオンが存在していない場合（すなわち各フラグメントイオンの強度が０の場合）には、試料のすべての脂肪酸が同定されたと判定し（ステップＳ１８でＹＥＳ）、試料のピークリストの検索範囲内にフラグメントイオンが存在している場合には、試料のすべての脂肪酸が同定されていないと判定する（ステップＳ１８でＮＯ）。
【０１００】
試料のすべての脂肪酸が同定されていないと判定された場合（ステップＳ１８でＮＯの場合）、同定部６４は、再び、脂肪酸の同定処理を行い（ステップＳ１２）、ステップＳ１４、ステップＳ１６、ステップＳ１８の処理を繰り返す。そして、試料のすべての脂肪酸が同定されたと判定された場合（ステップＳ１８でＹＥＳの場合）、処理を終了する。
【０１０１】
具体的には、同定部６４は、図１１に示す新たな試料のピークリストからフラグメントイオンΔｍ／ｚ  −１８２（強度１０００）を選択する（ステップＳ１２３）。次に、同定部６４は、同定処理を行い、試料に脂肪酸（１６，１）が存在すると同定する（ステップＳ１２４〜ステップＳ１２６）。次に、同定部６４は、図１１に示す試料のピークリストから図４に示す脂肪酸（１６，１）のピークリストの各フラグメントイオンの強度（Ｒｅｌａｔｉｖｅ  Ｉｎｔｅｎｓｉｔｙ）に選択されたフラグメントイオンΔｍ／ｚ  −１８２の強度１０００を掛けた値（乗算した値）を差し引く（ステップＳ１４）。これにより、新たに作成された試料のピークリストには、フラグメントイオンが存在しなくなる。そのため、同定部６４は、試料のすべての脂肪酸が同定されたと判定し（ステップＳ１８でＹＥＳ）、処理を終了する。これにより、同定部６４は、試料に、脂肪酸（１６，０）と、脂肪酸（１６，１）と、が含まれるとして、処理を終了する。
【０１０２】
３．  プログラム
次に、本実施形態に係るプログラムについて説明する。本実施形態に係るプログラムは、上述のように、脂肪酸のチャージリモートフラグメンテーションのピークパターンを含むプロダクトイオンスペクトルから、脂肪酸を同定するプログラムであって、データベースを検索して、プロダクトイオンスペクトルから脂肪酸を同定する同定部６４としてコンピューターを機能させ、データベースには、脂肪酸のチャージリモートフラグメンテーションによって得られる各フラグメントイオンの質量電荷比とプリカーサーイオンの質量電
荷比との差の情報、および各フラグメントイオンの強度の情報を含む脂肪酸のピークリストが登録されている。
【０１０３】
４．  特徴
本実施形態に係る質量分析装置１００では、同定部６４は、データベースを検索して、検出部５０の検出結果から得られる脂肪酸のチャージリモートフラグメンテーションのピークパターンを含むプロダクトイオンスペクトルから脂肪酸を同定する。また、データベースには、脂肪酸のチャージリモートフラグメンテーションによる各フラグメントイオンの質量電荷比とプリカーサーイオンの質量電荷比との差Δｍ／ｚの情報、および各フラグメントイオンの強度の情報を含む脂肪酸のピークリストが登録されている。そのため、脂質のチャージリモートフラグメンテーションによる構造解析を容易に行うことができる。具体的には、質量分析装置１００では、例えば、脂肪酸が複数結合した脂質や、構造異性体を含む脂質の構造解析を容易に行うことができる。また、例えば、脂質の構造解析の自動化を図ることができる。
【０１０４】
質量分析装置１００では、同定部６４は、脂肪酸の所与の位置で開裂して生成されたフラグメントイオンの質量電荷比とプリカーサーイオンの質量電荷比との差Δｍ／ｚをインデックスとして、データベースの検索を行う。そのため、データベース検索の高速化を図ることができる。
【０１０５】
質量分析装置１００では、同定部６４は、脂肪酸が同定された場合に、プロダクトイオンスペクトルのフラグメントイオンの強度から、同定された脂肪酸のピークリストの各フラグメントイオンの強度を差し引く。そのため、データベース検索の精度を高めることができる。
【０１０６】
質量分析装置１００では、脂肪酸のピークリストにおいて、各フラグメントイオンの強度は、脂肪酸の所与の位置で開裂して生成されたフラグメントイオンの強度に対する各フラグメントイオンの強度の比である。そのため、試料のプロダクトイオンスペクトルと、脂肪酸のピークリストとの照合を容易に行うことができる。
【０１０７】
本実施形態に係る脂肪酸の同定方法では、データベースを検索して、脂肪酸のチャージリモートフラグメンテーションのピークパターンを含むプロダクトイオンスペクトルから脂肪酸を同定する工程を含み、データベースには、脂肪酸のチャージリモートフラグメンテーションによる各フラグメントイオンの質量電荷比とプリカーサーイオンの質量電荷比との差Δｍ／ｚの情報、および各フラグメントイオンの強度の情報を含む脂肪酸のピークリストが登録されている。そのため、脂質のチャージリモートフラグメンテーションによる構造解析を容易に行うことができる。
【０１０８】
本実施形態に係るプログラムでは、データベースを検索して、脂肪酸のチャージリモートフラグメンテーションのピークパターンを含むプロダクトイオンスペクトルから脂肪酸を同定する同定部６４としてコンピューターを機能させ、データベースには、脂肪酸のチャージリモートフラグメンテーションによる各フラグメントイオンの質量電荷比とプリカーサーイオンの質量電荷比との差Δｍ／ｚの情報、および各フラグメントイオンの強度の情報を含む脂肪酸のピークリストが登録されている。そのため、脂質のチャージリモートフラグメンテーションによる構造解析を容易に行うことができる。
【０１０９】
５．  変形例
なお、本発明は上述した実施形態に限定されず、本発明の要旨の範囲内で種々の変形実施が可能である。
【０１１０】
例えば、上述した実施形態では、脂肪酸を測定して脂肪酸のピークリストを作成していたが、脂肪酸を測定せずに、過去の文献や構造が似ている脂肪酸の解析結果から脂肪酸のピークリストを作成してもよい。
【０１１１】
また、例えば、脂肪酸を測定せずにその脂肪酸が結合している脂質の測定結果から脂肪酸のピークリストを作成してもよい。
【０１１２】
また、例えば、上述した実施形態では、脂肪酸のテーブルのインデックスを、Δ３位で開裂して生成されたフラグメントイオンのΔｍ／ｚ値とせずに、他の位置で開裂して生成されたフラグメントイオンのΔｍ／ｚ値としてもよい。
【０１１３】
また、例えば、上述した実施形態では、２台の質量分析計でタンデム質量分析法を行う場合について説明したが、１台の質量分析計でイオンをトラップしてタンデム質量分析法を行ってもよい。すなわち、第１質量分離部２０、開裂部３０、第２質量分離部４０を一体としてもよい。このような質量分析装置としては、例えば、イオントラップ型質量分析計や、フーリエ変換イオンサイクロトロン共鳴型質量分析計等を用いることができる。
【０１１４】
また、例えば、上述した実施形態では、質量分析装置１００を用いて測定した結果から、脂肪酸の同定を行ったが、他の質量分析装置で得られたプロダクトイオンスペクトルや、シミュレーションで得られたプロダクトイオンスペクトルから脂肪酸の同定を行ってもよい。この場合、スペクトル取得部６２は、例えば、情報記憶媒体７６を介して、プロダクトイオンスペクトルを取得してもよい。
【０１１５】
本発明は、実施の形態で説明した構成と実質的に同一の構成（例えば、機能、方法および結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【０１１６】
１０…イオン化部、２０…第１質量分離部、３０…開裂部、４０…第２質量分離部、５０…検出部、６０…処理部、６２…スペクトル取得部、６４…同定部、７０…操作部、７２…表示部、７４…記憶部、７６…情報記憶媒体、１００…質量分析装置
【図１】
2015076169.tif 000003
【図２】
2015076169.tif 000004
【図３】
2015076169.tif 000005
【図４】
2015076169.tif 000006
【図５】
2015076169.tif 000007
【図６】
2015076169.tif 000008
【図７】
2015076169.tif 000009
【図８】
2015076169.tif 000010
【図９】
2015076169.tif 000011
【図１０】
2015076169.tif 000012
【図１１】
2015076169.tif 000013
【図１３】
2015076169.tif 000014
【図１２】
2015076169.tif 000015